(57)【要約】【課題】  熟練技術の有無に関わらず誰もが自分の意図する姿の生け花を容易に作り上げることができ、更に、作り上げた生け花の花形の不動状態を確実に保持することができる生花整形体を提供することを目的とする。【解決手段】  整形部１，１１には、下方に向かって下窄み形状をなす保持部２を備え、該保持部２で挿し込まれる花樹を保持することを特徴とする。【選択図】      図１（ａ）（ｂ）
2005305099.tif 000002
【特許請求の範囲】
【請求項１】
整形部（１，１１）には、下方に向かって下窄み形状をなす保持部（２）を備え、該保持部（２）で挿し込まれる花樹を保持することを特徴とする花器に使用する生花整形体。
【請求項２】
前記保持部（２）の形状は、下方に向かって断面Ｖ字状又は断面Ｕ字状になるように下窄みになっていることを特徴とする請求項１記載の花器に使用する生花整形体。
【請求項３】
前記整形部（１，１１）は弾力性又は復元性を保有していることを特徴とする請求項１又は２記載の花器に使用する生花整形体。
【請求項４】
前記整形部（１，１１）を平面視した場合、保持部（２）の内部に花樹を安定させるための区画空隙（２０，２４）を備えていることを特徴とする請求項１、２又は３記載の花器に使用する生花整形体。
【請求項５】
前記整形部（１，１１）には伸縮性バンド（２２）が備えてあることを特徴とする請求項１、２、３又は４記載の花器に使用する生花整形体。
【請求項６】
花樹を生けるための整形部（４２）の上部には花樹を挿し込むための挿入部（４４）を備え、該整形部（４２）には挿し込まれる花樹を保持するための伸縮性バンド（２２）を備えていることを特徴とする花器に使用する生花整形体。
【請求項７】
花樹を生けるための整形部（６）の上部には花樹を挿し込むための開口部（７）を備え、該整形部（６）の下部には弾力によって花樹を保持する保持部（８）を備えていることを特徴とする花器に使用する生花整形体。
【請求項８】
前記整形部（６，４２）の上端には外側に張り出した張出部（４１，４６）が形成されており、該張出部（４１，４６）には花樹を挿し込むための挿し込み補助部（４５，４７）が設けてあることを特徴とする請求項６又は７記載の花器に使用する生花整形体。
【請求項９】
前記整形部（１，６，１１，４２）が複数個備えてあることを特徴とする請求項１、２、３、４、５、６、７又は８記載の花器に使用する生花整形体。
【請求項１０】
筒状体（１２，２５）の内部に前記整形部（１，６，１１，４２）を嵌挿してあることを特徴とする請求項１、２、３、４、５、６、７、８又は９記載の花器に使用する生花整形体。
【請求項１１】
前記整形部（１，６，１１，４２）は、対面する板体（４８）から構成してあることを特徴とする請求項１、２、３、４、５、６、７、８、９、又は１０記載の花器に使用する生花整形体。
【請求項１２】
前記の対面する板体（４８）には、それぞれ下端位置から上方に向かって切り込み溝（４９）を形成し、該両板体（４８）の切り込み溝（４９）に跨って伸縮性バンド（２２）を掛け渡してあることを特徴とする請求項１１記載の花器に使用する生花整形体。
【請求項１３】
台部（３）が備えてあることを特徴とする請求項１、２、３、４、５、６、７、８、９、１０、１１又は１２記載の花器に使用する生花整形体。
【請求項１４】
前記整形部（１，６，１１，４２）は透水性を有していることを特徴とする請求項１、２、３、４、５、６、７、８、９、１０、１１、１２又は１３記載の花器に使用する生花整形体。
【請求項１５】
前記台部（３）には、上下方向に貫通する貫通窓（５，１０）が備えてあることを特徴とする請求項１３又は１４記載の花器に使用する生花整形体。
【請求項１６】
前記筒状体（１２，２５）の外周壁には、図柄（３５）が施してあることを特徴とする請求項１０記載の花器に使用する生花整形体。
【請求項１７】
花樹を生けるための弾力部材からなる整形部（５１）の上部には花樹を挿し込むための挿入部（４４）を備え、前記整形部（５１）には挿し込まれる花樹を弾力によって保持する保持部（５２）を備え、該保持部（５２）は整形部（５１）の一部を連結することで形成されていることを特徴とする花器に使用する生花整形体。
【発明の詳細な説明】
【技術分野】
【０００１】
本発明は、花や樹木などを生けるのに用いる剣山の代用品となる生花整形体に関するものであり、詳しくは、花樹を自分の思い通りの形に生けることができると共に、完成した生け花の不動状態を保つことができる花器に使用する生花整形体に関するものである。
【背景技術】
【０００２】
生け花とは、花や樹木などを花瓶や水盤といった花器に美しく飾るものであり、生け花の美しさに花器の豪華さなどが相まって、見る人の気分を和ませ、人の気持ちを優しくすると共に元気を与えてくれる作用を有している。この作用を長期間に亘って有効に発揮するためには、生け花がみずみずしい生気を保ち続けなければならないことはもちろんのこと、見る角度を計算し、全体の形を十分に考慮して美しく作り上げられた生け花の姿を保ち続けなければならない。このような生け花の状態を保持するためには、生け花の角度や形を変えることなく花器内の水を少なくとも毎日欠かさず取り換えることが必要とされている。
【発明の開示】
【発明が解決しようとする課題】
【０００３】
しかしながら、従来の水交換作業においては、生け花を一旦花器内から取り出すか、ポンプを使用しなければならず、作者の思い通りに作り上げた美しい生け花の姿が崩されると共に、作者の意図も完全に失われてしまい、更には、花器内に新しい水を補給した後に、再び生け花を花器内に生け直す必要があるため、作品本来の姿が全く変えられてしまうことはもちろんのこと、手間がかかり非常に面倒であった。特に花器の形状が皿状の水盤である場合は、剣山を使用するため、花の茎や樹木を斜めに切って一本一本剣山の針に挿して固定しなければならず、剣山の針の部分は長いもので２ｃｍ程度と非常に短く形成されていることから、その作業は非常に難しく、更に全体の見栄えをも考慮しながら作業を行わなければならないため、熟練した高度な技術が必要となり、未熟者には非常に困難な作業であった。
【０００４】
このようなことから、生け花とは、少しでも花に触れたり、花器を移動させることで、角度や形が簡単に変えられてしまうため、非常に繊細且つ慎重に取り扱われることとなり、熟練技術を有した者によって美しく花器内に作り上げられた生け花を芸術作品として完全に観賞するものとなってしまう傾向があった。
【０００５】
そこで、本発明は、熟練技術の有無に関わらず誰もが自分の意図する姿の生け花を容易に作り上げることができ、更に、作り上げた生け花の花形の不動状態を確実に保持することができる花器に使用する生花整形体を提供することを目的とする。
【課題を解決するための手段】
【０００６】
上記目的を達成するために、本発明のうち請求項１記載の発明は、整形部には、下方に向かって下窄み形状をなす保持部を備え、該保持部で挿し込まれる花樹を保持することを特徴とする。
【０００７】
ここで、保持部に関しては、下方に向かって下窄み形状の部分が形成されており、その部分で花樹を確実に保持することが可能であればどのような形態であってもよく、パイプ状体や板状体などを挙げることができる。また、保持部の形態は固定しておいてもよいし、花樹を挿し込んだ際に幅方向に変形可能にしておいてもよい。整形部の材質に関しては金属製、ガラス製、陶磁器、木製、紙器など特に限定するものではないが、軽量で緩衝性を有するプラスチック製にすることが望ましい。紙器に関しては、防湿性を有したものであれば本発明の目的を十分に達成することができるという実験結果が得られている。
【０００８】
請求項２記載の発明は、保持部の形状は下方に向かって断面Ｖ字状又は断面Ｕ字状になるように下窄みになっていることを特徴とする。整形部と保持部の構成に関しては、整形部の内部に断面Ｖ字状又は断面Ｕ字状の下窄み形状の保持部を備えることが可能であるものを全て含める概念であり、保持部の形状のみを断面Ｖ字状又は断面Ｕ字状に形成してもよいし、整形部の形状から断面Ｖ字状又は断面Ｕ字状になるように形成してもよく、例えばパイプ状体の下方部分を潰したもの、一枚の板状体に曲げ加工やプレス加工などを施したもの、複数の板状体を組み合わせたものや方形状体に溝を設けたものなどが挙げられる。保持部の大きさは、花樹を確実に安定させるためにも、深さが４０ｍｍ〜８０ｍｍ、Ｖ字状の場合はＶ字の角度が８°〜２５°（好ましくは１０°〜１５°）、Ｕ字状の場合は上部の幅が４０ｍｍ〜５０ｍｍ、底部の幅が２０ｍｍ以下（好ましくは５ｍｍ〜１０ｍｍ）であることが望ましい。
【０００９】
請求項３記載の発明は、整形部には弾力性又は復元性を保有していることを特徴とする。弾力性又は復元性を保有する手段としては、例えば整形部を弾力部材又は復元部材から構成したり、請求項５記載の発明のように整形部に伸縮性バンドを備えて保持部の形状を幅方向に変形可能に構成したりするものが挙げられる。
【００１０】
請求項４記載の発明は、整形部を平面視した場合、保持部の内部に花樹を安定させるための区画空隙を備えていることを特徴とする。区画空隙の形状としては、花樹を安定させることが可能であればどの形状でもよく、例えば方形状、菱形及び三角形などの様々な形状を挙げることができる。保持部内に区画空隙を備える手段としては、板状などの区画部材を区画空隙の形状に合わせて保持部内に備えたもの、区画部材を井桁状になるように保持部に組み合わせたもの、区画部材に区画空隙を形成し保持部の上端に備えたものなどが挙げられる。保持部内は区画部材によって完全に区切ってもよいし、上部のみを区切って下部は連通させておいてもよい。区画部材は保持部に固定してもよいし、着脱可能に備えてもよい。特に、区画部材を保持部に井桁状に組み合わせて且つ着脱可能にした場合には、請求項５記載の発明の整形部に備えた伸縮性バンドを区画部材に渡すことにより、整形部と区画部材を固定することができるため、その結果、保持部の形状を断面Ｖ字状又は断面Ｕ字状に確実に保持することができる。
【００１１】
請求項６記載の発明は、花樹を生けるための整形部の上部には花樹を挿し込むための挿入部を備え、該整形部には挿し込まれる花樹を保持するための伸縮性バンドを備えていることを特徴とする。整形部と保持バンドの構成に関しては、花樹を挿し込んだ際にゴムバンドの弾力を利用して花樹の不動状態を保持できるものであれば、特に限定するものではなく、例えば、２枚の対向する板体の適宜位置に切り込みや溝を形成し、その切り込みや溝に伸縮性バンドを引っ掛けることにより、挿し込まれる花樹を挟持する形態などが挙げられる。挿入部の形態については、挿し込み口となる上端を開口させておいてもよいし、閉口させておいてもよいが、花樹を容易に挿入部に挿し込むためにも、開口する形態にすることが望ましい。整形部の材質に関しては、弾力性を保有し且つ緩衝性に優れたプラスチックにすることが望ましいが、伸縮性バンドを備えていることから、特に限定する必要はなく、例えば金属、陶磁器、木製などであってもよい。
【００１２】
請求項７記載の発明は、花樹を生けるための整形部の上部には花樹を挿し込むための開口部を備え、該整形部の下部には弾力によって花樹を保持する保持部を備えていることを特徴とする。開口部の形状に関しては、開口部の下方に備えられた保持部内に花樹を導いて挿し込むことが可能であれば、特に限定するものではないが、よりスムーズ且つ容易に保持部内に花樹を導くためにも、断面Ｖ字状であることが望ましい。保持部の構成に関しては、花樹を挿し込んだ際に花樹の不動状態を保持できるものであれば、特に限定するものではなく、例えば、隙間の狭い２枚の対向する弾力板体によって開口部から挿し込まれる花樹を挟持する形態などが挙げられる。弾力板体の材質については、弾力性を保有しているものであれば金属やプラスチックなど、特に限定するものではないが、緩衝性に優れたプラスチックにすることが望ましい。
【００１３】
請求項８記載の発明は、整形部の上端には外側に張り出した張出部が形成されており、該張出部には花樹を挿し込むための挿し込み補助部が設けてあることを特徴とする。挿し込み補助部の形状に関しては、花樹を挿し込むことが可能であれば、特に限定するものではなく、例えば穴形状や切り込み溝形状などを挙げることができる。
【００１４】
請求項９記載の発明は、整形部が複数個備えてあることを特徴とする。整形部の備える個数に関しては、多様な生け方が可能になるものであれば、特に限定するものではなく、形状についても全てを同じ形状にしてもよいし、それぞれ異なった形状にしてもよい。また、複数個の整形体はそれぞれを固定してもよいし、着脱可能に備えてもよい。
【００１５】
請求項１０記載の発明は、筒状体の内部に整形部を嵌挿してあることを特徴とする。筒状体とは、必ずしも円筒形状に限定されるものではなく、筒状体の内部に整形部を嵌挿することが可能な形状のものを全て含める概念である。筒状体の高さに関しては、内部に嵌挿する整形部とほぼ同じ高さであってもよいし、それ以上であってもよく、特に限定するものではない。特に筒状体の高さが整形部よりも高い場合においては、整形部の嵌挿箇所に関しては、筒状体の形状や整形部の形状及び構成にもよるが、花樹を確実に安定させることが可能であれば、特に限定するものではなく、筒状体の上部、中間部、下部など花樹の生け方に応じて適宜な箇所に備えることが望ましい。
【００１６】
整形部は、前述したようにパイプ状体であってもよいが、請求項１１記載のように、対面する板体から構成されていてもよい。対面する板体は、下端部分においてヒンジ状に開閉できるように連結されていてもよいし、また、両板体は分離していてもよい。さらに、請求項１２記載のように、対面する板体には、それぞれ下端位置から上方に向かって切り込み溝を形成し、該両板体の切り込み溝に跨って伸縮性バンドを掛け渡してもよい。
このように構成すれば、花樹を挿入部に挿し込み両板体で保持する際には、該保持空間に伸縮性バンドにより囲まれた区画領域ができ、その区画領域で保持される花樹はより一層安定化した状態を保つことができる。
【００１７】
請求項１３記載の発明は、生花整形体の下部に台部を備えることを特徴とする。台部は整形部又は筒状体の下部と固定してもよいし、着脱可能に備えてもよい。台部の形状に関しては、特に限定するものではないが、平面視した場合に円状であることが望ましい。台部の材質に関しても特に限定するものではないが、前記整形部の場合と同様にプラスチック製にすることが望ましい。
【００１８】
請求項１４記載の発明は、整形部には透水性を有していることを特徴とする。整形部に透水性を持たせる手段としては、例えば整形部の側面及び側周面に保持部に連通する透水孔を形成しておくことなどが挙げられる。
【００１９】
請求項１５記載の発明は、台部には上下方向に貫通する貫通窓が備えてあることを特徴とする。
【００２０】
請求項１６記載の発明は、筒状体の外周壁に図柄が施してあることを特徴とする。
【００２１】
整形体に挿し込まれる花樹を保持する構成に関しては、前述したような保持部の形状をＶ字状又はＵ字状に形成してもよいし、整形部に伸縮性バンドを備える形態にしてもよいが、請求項１７記載の発明のように、花樹を生けるための弾力部材からなる整形部の上部には花樹を挿し込むための挿入部を備え、前記整形部には挿し込まれる花樹を弾力によって保持する保持部を備え、該保持部は整形部の一部を連結することで形成する形態であってもよい。弾力板体に関しては、弾力性を保有しているものであれば特に限定はしないが、プラスチックにすることが望ましい。保持部の構成に関しては、例えば、対面する２枚のプラスチック板体の略中間位置の両側端部を連結してプラスチック板を一体化させ、連結されていない部分で挿入部から挿し込まれる花樹を挟持する形態などが挙げられる。整形部の連結する手段としては、例えばホッチキスやクリップなどの連結部材を用いてもよいし、整形部を当接させて接着剤などで固着させてもよい。尚、挿入部の上端には、前述したように外側に張り出した張出部を形成し、その張出部に花樹を挿し込むための挿し込み補助部を設けてもよい。
【発明の効果】
【００２２】
請求項１、２、６、７及び１７記載の発明によれば、花樹を生花整形体内に生ける際に、整形部内の保持部の下方に向かって下窄み形状の部分、断面Ｖ字状又は断面Ｕ字状の保持部、伸縮性バンドを備えた整形部内、整形部下部の保持部及び弾力部材からなる整形部の保持部に花樹の下端部を挿し込むだけで、花樹を整形部内に確実に固定させることが可能となり、剣山を使用する際のような高度な技術を必要とせずに誰もが自分の思い通りの花形を容易に作り上げることができる。このため、この生花整形体さえあれば、水盤や花瓶などの一般的に花器と称されるものはもちろんのこと、装飾品である壺や、更にはグラスやコップといった様々な形状の器体の内部に生花整形体を収容することで、様々な形状の器体を花器とすることが可能となり、今までにはない生け花の楽しみ方を提供することができる。また、保持部に花樹を挿し込むだけで、自分の思い通りに生けた生け花の花形の不動状態を確実に保持することが可能であるため、花器内の水交換をする際に、生け花の花形を崩すことなく花器内に生花整形体を出し入れすることが可能となり、非常に作業を簡便にすることができる。特に、比較的小型の花器内に生花整形体を収容した場合は、花器を９０°以上傾けても花形が崩れることがないため、花器内に花樹を生けた状態のまま水交換を行うことが可能となり、より一層作業を簡便にすることができる。また、比較的小型の花器であれば、狭い場所など様々な場所に設置することが可能であると共に、持ち運びが非常に便利となるため、子供や年配者、病弱な方などにも非常に手軽に花器内の水交換作業を行うことができる。
【００２３】
請求項３記載の発明によれば、整形部に弾力性を保有することにより、花樹を生けた際に保持部の形状が幅方向に変形すると共に、復元性を保有しているためより強固に花樹を保持部内で固定することができる。
【００２４】
請求項４記載の発明によれば、保持部内が区画空隙によって区画されるため、保持部内に花樹を挿し込んだ際に花樹が保持部の開口部いっぱいに広がることを防ぎ、花樹を区画空隙内に安定させることが可能となり、より一層強固に花樹を保持部内で固定することができる。
【００２５】
請求項５記載の発明によれば、整形部が弾力性を保有しない形態であっても、伸縮性バンドを備えるだけで容易に弾力性を保有させることが可能となる。また、保持部内の形状を断面Ｖ字状（下窄み形状）に確実に固定することが可能となる。
【００２６】
請求項８記載の発明によれば、整形部以外の部分にも花樹を生けることが可能となり、一つの整形体で多様な生け方をすることができると共に、様々な生け花の流派に対応することができる。
【００２７】
請求項９記載の発明によれば、上記効果と同様に、様々な生け方をすることが可能であることは勿論のこと、様々な生け方で生けた花樹の一本一本を整形部において確実に固定することが可能となり、生け花の様々な流派においても剣山代わりとして抵抗無く使用することができ、非常に応用範囲に優れた花器に使用する生花整形体となる。
【００２８】
請求項１０記載の発明によれば、筒状体の内部に整形部を嵌挿することで、筒状体の内周壁に整形部が強固に固定されることから、整形部の不動状態及び起立状体を確実に保つことが可能となり、生け花の不動状態をより一層確実に保つことができる。
【００２９】
請求項１１記載の発明によれば、整形部を板体から構成することにより、断面Ｖ字状又は断面Ｕ字状の保持部を容易に形成することが可能となる。
【００３０】
請求項１２記載の発明によれば、伸縮性バンドによって板体に弾力性を保有させると共に、花樹を挿入部から挿し込み両板体で保持する際に、その保持空間に伸縮性バンドにより囲まれた区画領域ができ、その区画領域内で保持される花樹はより一層安定した状態を保つことができる。
【００３１】
請求項１３記載の発明によれば、生花整形体を花器内部の底面に載置する場合に、生花整形体の起立状体を確実に保つことができるため、上記効果と相まって、生けた花樹全体の安定性が増し不動状態をより一層保つことができる。
【００３２】
請求項１４記載の発明によれば、整形部に透水性を備えることにより、花器内に生花整形体を収容した際に、花器内に注入した水が整形部と花器内とで完全に仕切られることを防ぐことが可能となり、水を花器内において循環させることができるため、生け花のみずみずしい状態を長期間に亘って保つことができる。
【００３３】
請求項１５記載の発明によれば、台部に貫通窓を備えることにより、貫通窓に整形部の下部を嵌め込むことで、整形部の起立状態を確実且つ容易に保つことが可能となり、それに伴い生け花の花形の不動状態もより一層確実なものにすることができる。また、生花整形体を大きな花器内、特に花器の底面に載置する形で収容する場合、台部に貫通窓を備えることで、本発明者が以前に出願した花器用の排水手段を花器の底部に備えても、花器内の水を完全に排水することができると共に、花器を移動させることなく花器内の水交換作業を容易に行うことができる。
【００３４】
請求項１６記載の発明によれば、生花整形体を透明性を保有する大きめの花器内に収容する場合に、筒状体の外周壁に施された図柄が花器内の水によって拡大されることから、生け花の美しさと相まって非常に見栄えの良い花器を提供することが可能となる。特に、筒状体に本発明者が以前に出願（特願２００３−１６８３１３）した蜃気楼の写真入り飲料容器を使用することで、室内に居ながらにして本物の蜃気楼を見ているかのようになり、今までにはない非常に斬新な花器となる。
【発明を実施するための最良の形態】
【００３５】
以下、本発明の実施形態を図面に基づいて説明する。
【００３６】
図１（ａ）（ｂ）は、本発明の第１実施形態を示すもので、図１（ａ）は斜視図であり、図１（ｂ）はＡ−Ａ矢視の断面図である。図１（ａ）（ｂ）に示すように、生花整形体は花樹を生ける塩化ビニール製のパイプ状体１と、花樹をパイプ状体１の内部に固定するための保持部２と、パイプ状体１の起立状体を保持するプラスチック製の台部３と、から構成されている。パイプ状体１は開口部が略長方形状をなしており、正面視及び側面視した場合に下方に向かって下窄みになるように形成されている。そのため、図１（ｂ）に示すように、パイプ状体１の下端部は長手方向側の内周壁同士が当接し、パイプ状体１の内部に断面Ｖ字状の花樹を固定するための保持部２が形成される。また、保持部２は開口部以外をパイプ状体１で囲んでいる状態になっているので、パイプ状体１の下方に保持部２内に連通する透水孔４を形成してある。このように透水孔４を形成することにより、保持部２内に水が溜まることを防ぎ、水を常に流通させることが可能となり、花樹のみずみずしい状態を長期間に亘って効率よく保つことができる。台部３は平面視した場合に円形をなしており、中心部には略長方形状の貫通窓５が形成されている。この貫通窓５の内部にパイプ状体１の下部を嵌め込むことにより、パイプ状体１の起立状体を確実に保つことが可能となり、それに伴って、パイプ状体１内の保持部２に固定する花樹の不動状態をもより確実なものとすることができる。また、台部３をプラスチック製にすることで、この生花整形体を花器の内部に収容する際に、特に花器の材質が陶器製やガラス製といったものである場合、花器に生花整形体を誤ってぶつけてしまっても、プラスチックには緩衝性を有しているため、花器に損傷を与えることを確実に防ぐことができる。
【００３７】
図２（ａ）（ｂ）は本発明の第２実施形態を示すもので、図２（ａ）は斜視図であり、図２（ｂ）はＡ−Ａ矢視の断面図である。第１実施形態と相違するところは、パイプ状体１に底部を備え、下方に向かって下窄み形状にせずに開口部とほぼ同形状に形成し、パイプ状体１の内部に形成される保持部２の形状が断面Ｕ字状になっている点である。このように保持部２の形状が断面Ｕ字状であっても、断面Ｖ字状の場合と同様に花樹を保持部２内に強固に固定することが可能であり、花樹の不動状態も確実に保つことができる。
尚、パイプ状体１の材質は、花樹を断面Ｕ字状の保持部２に挿し込んだ場合に、花樹の下端部がより強固に固定されるように復元性や弾力性を保有するものが望ましい。
【００３８】
図３は本発明の第３実施形態を示す斜視図である。図３に示すように、生花整形体は一対の上下に外向きに張り出した屈曲部４１を備えた板状体４２からなり、板状体４２の中間部の左右側部に引っ掛け溝４３を形成してある。この溝４３にゴムバンド２２を掛け渡して板状体４２が分離しないように構成してある。板状体４２は平板であってもよいが、第３実施形態のように、引っ掛け溝４３の形成位置を中心に略くの字状に少し屈曲させてもよい。このようにすることで、花樹を挿し込んで両板状体４２，４２で保持する際に、保持空間が断面Ｘ字状になり、両板状体４２，４２の上部である挿入部４４が開口状態となって、花樹を保持空間内に容易に挿し込むことが可能であると共に、挿し込まれた花樹を板状体４２の屈曲部分とゴムバンド２２とによって挟持することが可能となり、花形の不動状態を確実に保持することができる。板状体４２の側面には保持空間内に水を流通させるための透水孔４が形成してある。また、板状体４２の上下の屈曲部４１には外向き凹部４５がそれぞれ形成してあり、この生花整形体を花器内に収容した際に凹部４５にも花樹を挿し込むことが可能となり、多様な生け方ができる。板状体４２の材質としては、弾力性を保有し且つ緩衝性に優れたプラスチックであるが、ゴムバンド２２によって板状体４２に弾力性を保有させているので、金属や陶磁器、木製などであってもよい。
尚、第３実施形態の生花整形体を花器内に収容する際には、そのまま収容してもよいが、生花整形体の起立状態を確実に保持するためにも、後述するような筒体１２内に嵌挿させてから、花器内に収容することが望ましい。
【００３９】
図４は本発明の第４実施形態を示す斜視図である。第３実施形態と相違するところは、生花整形体を一対のプラスチック薄板５１から構成し、プラスチック薄板５１の上下方向の略中間位置において、左右両端部と左右両端部から内側に向かって略等間隔の部分を固着させて両プラスチック薄板５１を一体化することにより、一対のプラスチック薄板５１の間に挿入部４４から挿し込まれる花樹を保持する保持部５２を複数形成している点である。また、屈曲部４１はプラスチック薄板５１の上端のみに形成されている。このように構成することにより、挿入部４４から花樹を挿し込んでプラスチック薄板５１によって保持する際に、プラスチック薄板５１の厚みが非常に薄いことと、弾力性を保有していることから、挿し込まれる花樹の太さに応じて保持部５２の形状が変形し、両プラスチック薄板５１，５１によって花樹がより強固に挟持されることとなる。
【００４０】
図５は本発明の第５実施形態を示す斜視図である。図５に示すように、生花整形体は花樹を挿し込み挟持するための曲げ加工が施された１枚のプラスチック製の弾力板体６と、弾力板体６の起立状態を保持するプラスチック製の台部３と、から構成されている。弾力板体６は上方が開口し、間に狭い隙間が形成されるように二つに折り曲げられており、さらに弾力板体６の上部は上方に向かって外側に広がるように形成されている。弾力板体６の上部、即ち上方に向かって外側に広がった部分は花樹を挿し込む開口部７であり、弾力板体６の下部は花樹を挟持する保持部８である。弾力板体６の下方には、保持部８内に連通する透水孔４が形成してある。台部３に関しては、第１実施形態と同じ形状及び構成である。
【００４１】
図６は本発明の第６実施形態を示すものである。第５実施形態と相違するところは、弾力板体６の上部が外側に向かってほぼ水平に張り出しており、その張り出した部分（張出片４６）に花樹を挿し込むための補助穴４７を設けている点である。第６実施形態においては、台部を省略しているが、起立状態を保持するためにも弾力板体６の下端部分に第１実施形態と同じ形状及び構成の台部３を備えてもよいし、後述するような筒体１２内に弾力板体６を嵌挿させてもよい。
【００４２】
図７（ａ）（ｂ）は本発明の第７実施形態を示すもので、図７（ａ）は斜視図であり、図７（ｂ）は裏面図である。第１実施形態と相違するところは、パイプ状体１の開口部が円形をなしており、パイプ状体１の下端部の内周壁同士が当接せずに隙間９が設けてある点と、台部３の貫通窓５の中心部に円形状の貫通窓１０を連通する形でさらに設けてある点である。このようにパイプ状体１の開口部を円形にすることで、広い開口部となり花樹を保持部２に挿し込む際に作業効率を非常に向上させることができる。また、花樹も数多く生けることが可能となり、非常に豪華な見栄えの良い生け花を作り上げることができる。さらに、パイプ状体１の下端部に隙間９を設けてあるため、その隙間９に花樹の下端部を挿し込むことで、パイプ状体１の内周壁によってより強固に花樹を固定することができ、花樹の不動状態を確実に保つことができる。次に、台部３の貫通窓５の中心部に、貫通窓５の短手方向の幅よりも大きな径を有した円形状の貫通窓１０を貫通窓５に連通する形でさらに設けることにより、生花整形体を大きな花器内、特に花器の底面に載置して収容する場合、排水手段を花器の底部に備えても、花器内の水を円形状の貫通窓５を介して完全に排水することができると共に、花器を移動させることなく花器内の水交換作業を容易に行うことができる。
尚、排水手段とは、本発明者が以前に出願（特開２００２−１５３３６６号公報、特開２００３−９６６９号公報、特開２００３−４７３４１号公報、特開２００３−２４５１７９号公報、特開２００４−４１４８０号公報）した花器用の排水手段及び水抜手段のことを全て含めるものであり、例えば、花器の底部に水抜孔を形成し、水抜孔内に栓部材を嵌め込んだものや、水抜孔内に柔軟性及び弾力性を保有するホースの一端を圧入し、他端部分に栓部材を備え付けたものなど様々なものが挙げられる。
【００４３】
図８（ａ）（ｂ）は本発明の第８実施形態を示す斜視図である。図８（ａ）と第１実施形態と相違するところは、花樹を生ける部分が２枚の方形状のプラスチック板１１，１１の組み合わせによって構成されている点である。側面視した際に２枚のプラスチック板１１，１１の内部にＶ字状の保持部２が形成されるように、それぞれのプラスチック板１１，１１の下端部分を台部３の貫通窓５に嵌め込んである。２枚のプラスチック板１１，１１の組み合わせの場合は、保持部２の周囲はプラスチック板１１，１１によって囲まれることがないため、プラスチック板１１，１１の側面に透水孔を設ける必要はない。図８（ｂ）は、プラスチック板１１，１１の形状が台形状であり、台部３の貫通窓５に嵌め込む部分、即ち下方に向かって末広がり形状になっているものである。このような形状にすることで、花樹の挿し込み部分は図８（ａ）の場合と同幅のままで、保持部２内への水の流通のスムーズ化を図ることができる。
【００４４】
図９（ａ）（ｂ）は本発明の第９実施形態を示す斜視図である。図９（ａ）と第８実施形態と相違するところは、平面視した際に保持部２内に区画空隙２０が形成されている点と、保持部２が幅方向に変形可能になっている点と、プラスチック板１１，１１の下端部分に台部３を備えていない点である。平面視した際に保持部２の内部に区画空隙２０が形成されるように、プラスチック板１１，１１の上部に形成された切り込み（図示省略）内にプラスチック製の平板状の区画部材２１，２１を井桁状に嵌め込んである。保持部２の形状をＶ字状に保持するために、区画部材２１の両端側にプラスチック板１１，１１の外面側に沿ってゴムバンド２２を渡してある。このように構成することで、保持部２と区画空隙２０によって確実且つ強固に花樹が保持されると共に、ゴムバンド２２によって保持部２の形態が幅方向に変形可能となるため、花樹を保持部２の下端部で確実に保持することが可能となる。また、区画部材２１，２１をガイドとして保持部２のＶ字状の角度を変更することが可能となるため、生ける花樹の量に応じて区画空隙２０の大きさを変更することが可能となる。図９（ｂ）は、プラスチック板１１，１１の形状が略断面Ｌ字状に折り曲げられており、花器内に載置可能になっているものである。また、保持部２の下端部分に隙間９を設けるように各プラスチック板１１，１１を配置すると共に、プラスチック板１１，１１の下部に形成された通孔２３にそれぞれゴムバンド２２を通し、保持部２の形態を幅方向に変形可能にしてある。
尚、保持部２の締め付け具合が緩い場合やＶ字状の角度が大きい場合等には、束ねた花樹の茎の下端部分を予めゴムバンドや薄い布等で巻いて固定しておくことで、逆さまにしても生け花の花形が崩れることがないぐらい強固に花樹を保持部２内に固定することが可能となり、従来にはない優れた生花整形体にすることができる。
【００４５】
図１０（ａ）（ｂ）は本発明の第１０実施形態を示すもので、図１０（ａ）は側面図であり、図１０（ｂ）は花樹（図示省略）を挿し込んだ際の生花整形体を示す斜視図である。図１０（ａ）（ｂ）に示すように、生花整形体は上方が開口し、間に狭い隙間が形成されるように曲げ加工が施された一枚のプラスチック製の板体４８からなり、板体４８の下端位置から上方に向かってスリット状の切り込み溝４９が複数形成してある。この切り込み溝４９にゴムバンド２２を複数引っ掛けて板体４８に掛け渡してある。第１０実施形態においては、切り込み溝４９は二本形成し、ゴムバンド２２は三本使用する。ゴムバンド２２の備え方は、二本の切り込み溝４９，４９に跨って掛け渡すものと、各切り込み溝４９，４９と板体４８の左右の各側部に跨って掛け渡すものである。板体４８の上端部分は、外側に向かって広がるように形成してあり、挿し込まれる花樹を板体４８内の隙間に容易に導くための挿入部４４となっている。板体４８の下端部分には透水孔４が形成してある。挿入部４４から花樹を挿し込むと、図１０（ｂ）に示すように、板体４８の上端部が外側に広がり、生花整形体の内部に断面Ｖ字状の空間部５０が形成される。この時、生花整形体を平面視すると、掛け渡したゴムバンド２２，２２，２２によって空間部５０内が複数に区画されることとなり、ゴムバンド２２の弾力性と相まって、花樹がより一層確実に空間部５０内に固定される。
尚、ゴムバンドの備える本数に関しては、三本に限定されるものではなく、生ける花樹の種類や生け方に応じて、中間部のみの一本、左右両端部の二本又は全体に一本であってもよい。切り込み溝は、一本でもよいし二本以上形成してもよく、それに応じて備えるゴムバンドの本数を変更してもよい。また、板体は二つに折り曲げた形状のものに限定されるものではなく、平板状の二枚のプラスチック板であってもよい。
【００４６】
図１１は本発明の第１１実施形態を示す斜視図である。図１１に示すように、生花整形体は４枚の平面Ｌ字状のプラスチック板１１，１１，１１，１１から構成されるものであり、平面視した際に十字状の保持部２が形成されるように組み合わせたものである。保持部２の形状は、側面視した際にＹ字状をなしている。十字状の保持部２の縦方向の保持部２と横方向の保持部２との幅をそれぞれ相違させてある。このように構成することで、保持部２の下端部で強固に花樹を保持することが可能であると共に、十字状に花樹を生けることが可能となり、花樹を様々な花形に生けることができる。
【００４７】
図１２（ａ）（ｂ）は本発明の第１２実施形態を示す斜視図及びＡ−Ａ矢視の断面図である。図１２（ａ）（ｂ）に示すように、生花整形体は側面視した際に略凸状になるように曲げ加工が施された１枚のプラスチック製の弾力板体６である。弾力板体６の凸部は下方に向かって下窄み状になるように加工されており、下端部分には隙間９が設けてある。この凸部の内部に形成される空間が花樹を固定するための保持部２となり、この保持部２は断面Ｖ字状をなしている。弾力板体６の上端面には保持部２内に花樹を挿し込むための複数の窓穴２４が形成されている。弾力板体６の下端部分、即ち、保持部２の下端から外側に向かって張り出した部分は台部の役割を果たし、花器内に生花整形体を載置可能にしている。このように構成することで、保持部２の開口部を窓穴２４によって狭めることが可能となり、花樹を保持部２内に安定に固定することができる。また、保持部２の下端部の隙間９に花樹の下端を挿し込んだ場合、弾力板体６が幅方向に変形可能であるため、より強固に花樹が固定されることとなる。
【００４８】
図１３（ａ）（ｂ）は本発明の第１３実施形態を示すもので、図１３（ａ）は斜視図であり、図１３（ｂ）はＡ−Ａ矢視の断面図である。第１３実施形態は、花樹を生けるためのＶ字に折り曲げたプラスチック板１１と、花樹を固定するためのプラスチック板１１の内部に形成されたＶ字状の保持部２と、内部にプラスチック板１１を嵌挿しプラスチック板１１の起立状体を保持する塩化ビニール製の円筒形状の筒体１２と、筒体１２の起立状体を保持するための台部３と、から構成されている。Ｖ字に形成されたプラスチック板１１の側面下部には透水孔４が設けられており、このプラスチック板１１を筒体１２内に嵌挿し、筒体１２の内周壁と強固に固定させて不動状態を実現するものである。筒体１２内へのプラスチック板１１の嵌挿位置は、プラスチック板１１の下端部が筒体１２の下端部と面一になる位置である。このようにすることで、筒体１２内にプラスチック板１１が強固に固定されて、花樹を保持部２に挿し込んだ際には不動状態を確保すると共に、背丈の高い筒体１２によって保持部２に挿し込んだ花樹の花形の安定性をより高めることができる。筒体１２の側周壁には、プラスチック板１１に設けた透水孔４と対向する位置に筒体１２内部に通じる透水孔４を設け、保持部２内と筒体１２内と花器内の間を水が流通できるようにしてある。台部３には貫通窓５が形成されており、生花整形体を大きな花器内、特に花器の底面に載置して収容する場合に、排水手段を花器の底部に備えても、花器内の水を貫通窓を介して完全に排水することができると共に、花器を移動させることなく花器内の水交換作業を容易に行うことができる。
尚、筒体内に嵌挿するプラスチック板は、Ｖ字に折り曲げた形状のものに限定されるものではなく、平板状の２枚のプラスチック板であってもよい。この場合、筒体内に嵌挿した際に容易にＶ字状の保持部が形成できるように、プラスチック板の下端部に孔を形成し、その孔に紐などを通して２枚のプラスチック板の下端部のみを固定しておくことが望ましい。
【００４９】
図１４（ａ）（ｂ）は本発明の第１４実施形態を示すもので、図１４（ａ）は斜視図であり、図１４（ｂ）はＡ−Ａ矢視の断面図である。第１３実施形態と相違するところは、Ｖ字に折り曲げたプラスチック板１１のそれぞれの先端部分を外側方向に折り曲げ水平部１３，１３とし、筒体１２内にプラスチック板１１を嵌挿した際に、筒体１２の上端部分とプラスチック板１１の水平部１３，１３が面一になるようになっている点と、筒体１２の背丈が低いので台部は備えていないという点である。このように構成することで、この生花整形体を一般の剣山代わりとして使用しても水盤などの器体から生花整形体が突出することもなく非常に見栄えが良好になると共に、花樹の固定状態も剣山よりも優れたものとなり、さらには花樹を生ける作業も非常に容易なものとなる。また、筒体１２の上端周縁と水平部１３，１３の間に形成される開口部からさらに花樹を挿し込むことが可能となり、保持部２以外の箇所にも花樹を生けることができ外観上豪華な生け花を容易に作り上げることができる。この場合、保持部２には草花を、その他の部分には小枝などの樹木を生けることで、全体的に非常にバランスのとれた生け花にすることができる。
尚、筒体１２の高さに関しては、収容する花器の形状や大きさに応じて適宜な高さにすることが望ましく、例えば水盤状の花器に収容する場合は４５〜５５ｍｍ、壺状の花器に収容する場合は１００〜１３０ｍｍであることが望ましい。
【００５０】
図１５（ａ）（ｂ）は本発明の第１５実施形態を示すもので、図１５（ａ）は斜視図であり、図１５（ｂ）はＡ−Ａ矢視の断面図である。第１５実施形態は、Ｖ字に配置された２枚のプラスチック板１１，１１と、プラスチック板１１，１１の間に形成されたＶ字状の保持部２と、プラスチック板１１，１１を内部に嵌挿させる円筒形状のキャップ体２５とから構成されている。プラスチック板１１，１１は複数の区画部材２１を介して固定されており、区画部材２１により保持部２内が複数に区画されている。キャップ体２５はプラスチック製であり、上面には花樹を内部に挿し込むための開口部２６を形成し、側周壁に透水孔４を形成し、側周壁の下端には凹部２７が形成してある。このように構成することにより、複数に区画された断面Ｖ字状の保持部２によって花樹を強固に固定して不動状態を保持することが可能であることはもちろんのこと、プラスチック板１１，１１をキャップ体２５内に嵌挿することでプラスチック板１１，１１の起立状態を保持することが可能であると共に、プラスチック板１１，１１が外観から見えなくなるため、非常に見栄えの良好な生花整形体とすることが可能となる。
尚、プラスチック板１１，１１及びキャップ体２５の材質はプラスチックに限定するものではなく、陶磁器、木製、ガラス製等であってもよい。
【００５１】
図１６（ａ）（ｂ）は本発明の第１６実施形態を示すもので、図１６（ａ）は斜視図であり、図１６（ｂ）はＡ−Ａ矢視の断面図である。第１５実施形態と相違するところは、キャップ体２５にプラスチック板１１，１１を一体形成してあり、そのキャップ体２５を容器２８の口部に螺合し、容器２８ごと全てを生花整形体とした点である。キャップ体２５の上面には透水孔４が形成されている。このように構成することにより、生花整形体を花器内に収容して剣山代わりとして使用するだけでなく、容器２８内に水を注入すれば生花整形体自体を花器として使用することが可能となる。容器２８の材質に関しては、容器２８内から水が零れることがなければどのような材質でもよく、ガラス、金属、紙等様々なものが挙げられる。
【００５２】
図１７（ａ）（ｂ）は本発明の第１７実施形態を示す斜視図である。第１７実施形態は、１枚のプラスチック板１１に曲げ加工を施し、断面Ｍ字状の生花整形体を形成するものである。これは製造コスト面において非常に優れたものであり、この第１７実施形態の生花整形体をそのまま花器内に収容するだけで、剣山代わりにすることが可能となり、花樹を保持部２に挿し込んでも倒れる心配もなく、手軽に使用することができる商品価値の高い一品となる。
【００５３】
図１８（ａ）（ｂ）（ｃ）（ｄ）は本発明の第１８実施形態を示す斜視図である。第１８実施形態は、一つの生花整形体に複数の保持部２を備える構成をなしたものであり、様々な生け方を可能にしたものであり、華道の様々な流派にも対応することができるものである。図１８（ａ）は、第１実施形態の生花整形体の台部３に貫通窓５をさらに複数個形成し、開口部の小さなパイプ状体１の下端部を貫通窓５に嵌め込み、大きさの異なる保持部２を複数個備えたものである。図１８（ｂ）は、第８実施形態の生花整形体の台部３の貫通窓５に、さらに複数のプラスチック板１１，１１を大きな角度を設けて嵌め込み、保持部２を複数個備えたものである。図１８（ｃ）（ｄ）は、第１３実施形態の生花整形体の筒体１２の内部に、Ｖ字に折り曲げられたプラスチック板１１を複数嵌挿することで、筒体１２の内部に保持部２を複数個備えたものである。この場合、筒体１２の高さはプラスチック板１１の高さとほぼ同じである。図１８（ｃ）は、Ｖ字の深さ及び角度が異なる２枚にプラスチック板１１，１１を上下に重ねた状態で筒体１２内部に嵌挿したもので、図１８（ｄ）は、Ｖ字状の保持部２が３つ形成されるように曲げ加工が施された１枚のプラスチック板１１を筒体１２内部に嵌挿したものである。
尚、保持部２を複数備える実施形態は、第１８実施形態のみに限定されるものではない。図１８（ｃ）においては、２枚のプラスチック板に限定するものではなく、３枚のプラスチック板を上下に重ねてもよく、図１８（ｄ）においては、１枚のプラスチック板から形成するだけではなく、Ｖ字に折り曲げられたプラスチック板を３枚組み合わせて形成してもよい。
【００５４】
図１９（ａ）（ｂ）（ｃ）（ｄ）は本発明の生花整形体の使用例を示す斜視図である。図１９（ａ）は、水盤形状の器体１４に本発明の生花整形体の第１４実施形態を用いた使用例を示すものである。図１９（ｂ）は、口部の広い壺状の器体１４に本発明の生花整形体の第１３実施形態を用いた使用例を示すものである。図１９（ｃ）は、口部の狭い壺状の器体１４に本発明の生花整形体の第１３実施形態のプラスチック板１１のみを用いた使用例を示すものである。図１９（ｄ）は、既存のコップ又はグラスなどの器体１４に本発明の生花整形体の第１３実施形態のプラスチック板１１のみを用いた使用例を示すものである。この場合の器体１４の外周面には図柄が施してあることが望ましい。図１９（ａ）（ｂ）（ｃ）（ｄ）の１５は各生花整形体に生けた花樹である。これらに示すように、様々な形状の器体１４内に本発明の生花整形体を収容することで、様々な器体１４を花器として使用することが可能となり、今までにはない非常に斬新なアイディアである。また、生花整形体の断面Ｖ字状又はＵ字状の保持部に花樹を挿し込むだけで、容易に自分の思い通りの花形を作ることが可能であると共に、挿し込むだけで花樹の不動状態を確実に保持することが可能であるため、花器内の水交換作業を簡便に行うことができ、それに伴い、生け花のみずみずしい状態を長期間に亘って保つことができる非常に優れた花器に使用する生花整形体を提供することが可能となる。
ここで、花器内に本発明の生花整形体を収容する際の収容状態に関しては、花器の口部、中間部、底部など花器の形状や生け花の生け方に応じて適宜な収容状態にすることが望ましい。花器の口部に生花整形体を収容する場合は、花器の口部周縁に生花整形体の上端部が載置するような状態に係止させてもよいし、花器の口部と生花整形体の上端部が面一になるように嵌挿してもよい。また底部に収容する場合は、底部に載置してもよいし、底部に生花整形体の下端部が当接するような状態に嵌挿してもよい。
【００５５】
図２０（ａ）（ｂ）は本発明の生花整形体の他の使用例を示す斜視図である。図２０（ａ）（ｂ）は、既存のコップ又はグラスなどの器体１４に本発明の生花整形体の第１３実施形態のプラスチック板１１のみを用いた花器を、さらに外観上豪華さを有した外装花器体１６内に収容した使用例である。図２０（ａ）は、円筒形状をなした陶磁器からなる外装花器体１６の内部に器体１４を収容したものである。外装花器体１６の下端部は、起立状態の安定化を図るためにも外側に向かって広がった形状をなしている。器体１４の収容状態は、外装花器体１６の口部に器体１４の口部が面一になるように係止するものである。このようにすれば、既存のコップやグラスなどの器体１４に安価なものを使用した場合でも、器体１４が外装花器体１６内に完全に収容されるため外観から見えなくなると共に、見栄えが豪華なものとなり、生け花の美しさと相まって非常に見栄えの良好な花器にすることができる。また、外装花器体１６を飾台代わりとすることが可能となり、外装花器体１６の設置状体の安定化を図ることができる。図２０（ｂ）は、円筒形状をなし、下方に向かって径が小さくなるように形成されたガラス製の外装花器体１６の内部に器体１４を収容したものである。外装花器体１６の下部には、外装花器体１６の起立状態を保持するための台部１７が備えられている。器体１４の収容状態は、外装花器体１６内の底部まで嵌挿するものである。このようにすれば、外装花器体１６の口部ぎりぎりまでに水を注入することが可能となり、水量が多くなるため生け花のみずみずしい状態を長期間に亘ってより一層保つことができる。また、外装花器体１６の材質がガラスであるため、内部の器体１４や花樹１５が透けて見えるため、何とも言えない雰囲気を醸し出すことができると共に、全体の印象が非常に柔らかなものとなる。これらの雰囲気をより醸し出すためにも、器体１４は外周面に図柄が施されているものを使用することが望ましい。
尚、外装花器体の材質に関しては、本使用例のみに限定されるものではなく、例えば金属製、プラスチック製、木製など様々なものが挙げられる。
【００５６】
図２１（ａ）（ｂ）は本発明の生花整形体の他の使用例を示すもので、図２１（ａ）は斜視図であり、図２１（ｂ）はＡ−Ａ矢視の断面図である。図２１（ａ）（ｂ）は、傘立て等の比較的背丈の高い円筒状の外装花器体１６内に、第１５実施形態のプラスチック板１１，１１のみを備えた円筒状の器体１４を収容した使用例である。プラスチック板１１，１１の下端には下向き凸部３０が形成してあり、凸部３０を器体１４内に嵌挿してプラスチック板１１，１１を器体１４の口部に安定に載置するものである。外装花器体１６は内部が上げ底状になるように底板３１を備えている。外装花器体１６の底板３１に器体１４を載置することで、プラスチック板１１，１１が器体１４に安定に支持されながら外装花器体１６の口部に配置されることとなる。器体１４の底面と外装花器体１６の底板３１の中心位置には、第７実施形態に記載した排水手段を備えるために水抜孔３２が形成してある。排水手段は弾力性を保有するホース３３であり、一端は水抜孔３２内に弾力を利用して圧入し、他端は外装花器体１６の外周壁に形成した貫通孔３４から外部に導かれている。また、他端には止水するための栓部材（図示省略）が備えてある。このようにすることで、比較的背丈の高い大きな容器、例えば傘立て等を花器として使用することが可能となり、生け花の外観に迫力を持たせて今までにはない非常に豪華なものにすることができる。また、室内だけでなく屋外にも設置することが可能となり、さらには、排水手段によって器体１４を移動させることなく器体１４内の水交換を容易に行うことが可能であるため、利便性に優れた花器を提供することができる。
【００５７】
図２２は本発明の生花整形体の他の使用例を示す斜視図である。図２２は、外周面に図柄３５が施されたグラスやコップ等の器体１４の内部に本発明の生花整形体の第１３実施形態のプラスチック板１１を収容し、その器体１４を比較的大きなガラス製の外装花器体１６内に収容することで、器体１４自体を生花整形体とするものである。このようにすれば、外装花器体１６の外部から器体１４の図柄３５が透けて見えるだけでなく、外装花器体１６内の水によって図柄３５が拡大されるため、図柄３５と上方の花樹の豪華さとが絶妙なバランスで組み合わさって、今までにはなかった何とも言えない雰囲気を醸し出すことが可能となる。特に、図柄３５を蜃気楼にすることにより、水の中に蜃気楼が見えるため、本物の蜃気楼を見ているかのような錯覚を与えることが可能となり非常に都合がよい。
尚、外装花器体１６の材質に関しては、本使用例のガラスのみに限定されるものではなく、内部に収容しているものが透けて見えるぐらいの透明性を保有している材質であればプラスチック等であってもよい。
【図面の簡単な説明】
【００５８】
【図１（ａ）（ｂ）】本発明の花器に使用する生花整形体の第１実施形態を示す斜視図及びＡ−Ａ矢視の断面図である。
【図２（ａ）（ｂ）】本発明の花器に使用する生花整形体の第２実施形態を示す斜視図及びＡ−Ａ矢視の断面図である。
【図３】本発明の花器に使用する生花整形体の第３実施形態を示す斜視図である。
【図４】本発明の花器に使用する生花整形体の第４実施形態を示す斜視図である。
【図５】本発明の花器に使用する生花整形体の第５実施形態を示す斜視図である。
【図６】本発明の花器に使用する生花整形体の第６実施形態を示す斜視図である。
【図７（ａ）（ｂ）】本発明の花器に使用する生花整形体の第７実施形態を示す斜視図及び裏面図である。
【図８（ａ）（ｂ）】本発明の花器に使用する生花整形体の第８実施形態を示す斜視図である。
【図９（ａ）（ｂ）】本発明の花器に使用する生花整形体の第９実施形態を示す斜視図である。
【図１０（ａ）（ｂ）】本発明の花器に使用する生花整形体の第１０実施形態を示す側面図及び斜視図である。
【図１１】本発明の花器に使用する生花整形体の第１１実施形態を示す斜視図である。
【図１２（ａ）（ｂ）】本発明の花器に使用する生花整形体の第１２実施形態を示す斜視図及びＡ−Ａ矢視の断面である。
【図１３（ａ）（ｂ）】本発明の花器に使用する生花整形体の第１３実施形態を示す斜視図及びＡ−Ａ矢視の断面図である。
【図１４（ａ）（ｂ）】本発明の花器に使用する生花整形体の第１４実施形態を示す斜視図及びＡ−Ａ矢視の断面図である。
【図１５（ａ）（ｂ）】本発明の花器に使用する生花整形体の第１５実施形態を示す斜視図及びＡ−Ａ矢視の断面図である。
【図１６（ａ）（ｂ）】本発明の花器に使用する生花整形体の第１６実施形態を示す斜視図及びＡ−Ａ矢視の断面図である。
【図１７（ａ）（ｂ）】本発明の花器に使用する生花整形体の第１７実施形態を示す斜視図である。
【図１８（ａ）（ｂ）（ｃ）（ｄ）】本発明の花器に使用する生花整形体の第１８実施形態を示す斜視図である。
【図１９（ａ）（ｂ）（ｃ）（ｄ）】本発明の花器に使用する生花整形体の使用例を示す斜視図である。
【図２０（ａ）（ｂ）】本発明の花器に使用する生花整形体の使用例を示す斜視図である。
【図２１（ａ）（ｂ）】本発明の花器に使用する生花整形体の使用例を示す斜視図及びＡ−Ａ矢視の断面図である。
【図２２】本発明の花器に使用する生花整形体の使用例を示す斜視図である。
【符号の説明】
【００５９】
１  パイプ状体（整形部）
２  保持部
３  台部
５  貫通窓
６  弾力板体（整形部）
７  開口部
８  保持部
１０  円形状の貫通窓（貫通窓）
１１  プラスチック板（整形部）
１２  筒体（筒状体）
２０  区画空隙
２２  ゴムバンド（伸縮性バンド）
２４  窓穴（区画空隙）
２５  キャップ体（筒状体）
３５  図柄
４１  屈曲部（張出部）
４２  板状体（整形部）
４４  挿入部
４５  凹部（挿し込み補助部）
４６  張出片（張出部）
４７  補助穴（挿し込み補助部）
４８  板体
４９  切り込み溝
５１  プラスチック薄板（整形部）
５２  保持部
【図１（ａ）（ｂ）】
2005305099.tif 000003
【図２（ａ）（ｂ）】
2005305099.tif 000004
【図３】
2005305099.tif 000005
【図４】
2005305099.tif 000006
【図５】
2005305099.tif 000007
【図６】
2005305099.tif 000008
【図７（ａ）（ｂ）】
2005305099.tif 000009
【図８（ａ）（ｂ）】
2005305099.tif 000010
【図９（ａ）（ｂ）】
2005305099.tif 000011
【図１０（ａ）（ｂ）】
2005305099.tif 000012
【図１１】
2005305099.tif 000013
【図１２（ａ）（ｂ）】
2005305099.tif 000014
【図１３（ａ）（ｂ）】
2005305099.tif 000015
【図１４（ａ）（ｂ）】
2005305099.tif 000016
【図１５（ａ）（ｂ）】
2005305099.tif 000017
【図１６（ａ）（ｂ）】
2005305099.tif 000018
【図１７（ａ）（ｂ）】
2005305099.tif 000019
【図１８（ａ）（ｂ）（ｃ）（ｄ）】
2005305099.tif 000020
【図１９（ａ）（ｂ）（ｃ）（ｄ）】
2005305099.tif 000021
【図２０（ａ）（ｂ）】
2005305099.tif 000022
【図２１（ａ）（ｂ）】
2005305099.tif 000023
【図２２】
2005305099.tif 000024